(57)【特許請求の範囲】
【請求項１】
リッププレートの唄口、あるいはリッププレートに相当する外表面を有する円筒管の唄口に設けられた吹き口を有するエアリード楽器であって、一方の開口端に吹き込まれた呼気を他方の吐出口から噴出して唄口に吹き込む通気孔と、吐出口の下側長辺に沿って長手方向があり、断面が扇形で近似される凸部と、凸部下端の長辺と連なり、唄口の上部開口端を覆う面とを備えることを特徴とする吹き口を有するエアリード楽器。
【発明の詳細な説明】
【技術分野】
【０００１】
本発明は、容易に音が出せるエアリード楽器に関するものである。
【背景技術】
【０００２】
エアリード楽器の例として、フルートおよびリコーダがある。フルートの演奏者は、リッププレートに下唇を押し当てて特定のアンブシュア（唇の形）を作って、唄口の内壁に呼気を吹き付けて演奏する。フルートの演奏者は、アンブシュア、呼気、トーンホール（音孔）の開閉などを調節することで広い音域に渡って豊かな音を出すことができる。
【０００３】
しかし、アンブシュアを調節することは、演奏者の能力に大きく依存する。このため、初心者などの演奏能力の乏しい人がフルートの音を出すことは困難であった。
【０００４】
これに対して、リコーダにはウインドウェイ（呼気の流れる道）が設けられている。そのため、演奏者がウインドウェイの吹き口から呼気を吹き込むと、呼気は他方の吐出口から噴出してエッジに導かれ、容易に音を出すことができる。
【先行技術文献】
【特許文献】
【０００５】
【特許文献１】公開実用昭和５２−１４４７２４
【特許文献２】公開実用昭和６３−１５７８００
【特許文献３】特開平３−１８４０８９号公報
【特許文献４】特開平４−１１２８７号公報
【特許文献５】特開平５−３５２６１号公報
【特許文献６】特開平５−１９７３７０号公報
【特許文献７】特開平７−１２９１５２号公報
【特許文献８】特開２０１７−６８１０９号公報
【特許文献９】特開２０１７−６８１１０号公報
【特許文献１０】米国特許出願公開第２０１４／００１３９２５号明細書
【非特許文献】
【０００６】
【非特許文献１】安藤由典著  「楽器の音響学」  音楽之友社  1971年
【発明の概要】
【発明が解決しようとする課題】
【０００７】
解決しようとする課題は、初心者のような演奏能力の乏しい人はエアリード楽器の音を出すことが困難な点である。
【課題を解決するための手段】
【０００８】
本発明は、エアリード楽器の音が容易に出るようにするため、頭部管の唄口に吹き口を設けたことを最も主要な特徴とする。
【発明の効果】
【０００９】
本発明のエアリード楽器は、唄口に吹き口を設けることでウインドウェイを形成して、呼気を吹き込むと容易に音が出る。また、このエアリード楽器は音色やキー操作が従来の楽器と変わらないという利点がある。
【図面の簡単な説明】
【００１０】
【図１】図１は本エアリード楽器の吹き口断面を含む見取り図である。
【図２】図２は本エアリード楽器の吹き口の断面図である。
【図３】図３は本エアリード楽器の断面図である。
【発明を実施するための形態】
【００１１】
エアリード楽器の音が容易に出せるという目的を、唄口に吹き口を設けることで、音色やキー操作を変えずに実現した。
【実施例】
【００１２】
図１は、本エアリード楽器の吹き口を頭部管軸に垂直な面で切断したときの断面を含む接合部側の概観図である。図２は、図１と同じ状態の断面図である。図３は、頭部管軸を含む垂直な面を吐出口まで平行移動した面で切断したときの断面図である。
【００１３】
本件発明エアリード楽器の実施形態は、肉厚の円筒管の唄口２に吹き口３を設ける構造である。従来のエアリード楽器の頭部管は、薄肉円筒管にライザーを間に挟んでリッププレートがロウ付けされている。本発明の頭部管１は、従来の頭部管の薄肉円筒管、ライザー、リッププレートの３部品を合わせた厚さと等しい肉厚の円筒管であり、その外表面は従来のリッププレート表面と同じ高さを有し、リッププレートと同等の機能を果たす。この点以外は従来の頭部管と同じ構造をしている。
【００１４】
頭部管１の唄口２は、従来のエアリード楽器と同じ楕円形あるいは長方形の四隅が丸い孔である。図１〜図３は、唄口２が楕円形の場合の形状を示している。楕円の長径は頭部管軸と平行方向に位置し、短径は頭部管軸と直交方向に位置する。
【００１５】
吹き口３は、開口端４から吐出口５までの通気孔と、呼気が唄口２から流出する方向を制御する凸部９と、唄口２の上部開口端を塞ぐ半楕円形の底面と、吹き口３を唄口２に固定する側壁６とからなる。
【００１６】
開口端４から吐出口５までの通気孔は、断面が徐々に狭くなって呼気の流速を早める構造である。吐出口５は細長い隙間（スリット）で、呼気を集束させて噴出する。吐出口５は唄口２の中心より周辺側にずれた位置の上にあり、吐出口５の長辺は唄口２の楕円の長径と平行である。吐出口５を含む面で、吐出口５の中心に垂線を立てて延伸すると、内壁７と交差する。
【００１７】
凸部９の断面は扇形で近似される。扇形の弧の上端は吐出口５の下側長辺と接合し、弧の下端は唄口２の長径の上に重なる。凸部９を長手方向に伸ばした両端は側壁６と接合する。凸部９の弧の下端長辺には、吹き口３の底面が連なる。この底面は、唄口２の楕円形を長径で分割したときにできる半楕円形で、吐出口５とは反対側の唄口２の上部開口端を覆う。凸部９とそれに続く半楕円形の底面は、唄口２から流出する呼気の方向を制御する。
【００１８】
側壁６の上部は、開口端４から吐出口５までの通気孔と連続した構造で、通気孔を支える。また、側壁６は、凸部９とそれに続く半楕円形の底面部分をとり囲んで連続する一体の構造である。側壁６の底面部は、頭部管１の外表面の曲率と同じ円筒状の凹面を有し、唄口２の上部開口端の周囲に固定される。このように、側壁６は吹き口３の各部構造と一体結合して支えるとともに、吹き口３を頭部管１に固定する。
【００１９】
本発明のエアリード楽器は、肉厚の円筒管の唄口２に吹き口３を設ける構造だが、円筒管と吹き口３を一体構造としても良い。また、従来あるエアリード楽器のリッププレートに吹き口３を固定しても同じ機能を果たす。
【００２０】
本件発明が実施されたとき、従来のエアリード楽器と異なる点はウインドウェイが形成されることである。開口端４から呼気を吹き込むと他方の吐出口５から噴出し、さらに唄口２に流入して内壁７と衝突する。次いで呼気は頭部管１の中を周回した後、唄口２の上部開口端の塞がれた面から凸部９に沿って流れる。この呼気は流入する呼気に対してほぼ真横から衝突し、合体して唄口２の外に出る。開口端４から流入して唄口２の外に出るところまでが、本エアリード楽器のウインドウェイであり、頭部管１に吹き口３を設けることで形成される。
【００２１】
ウインドウェイが形成されると、頭部管１の管内の空気圧は、唄口２に流入する呼気が加圧し、流出する呼気が減圧する。管内の空気圧の加圧−減圧が繰り返されて音となる。このエアリード機能を発揮する状態は、凸部９に沿って唄口２から流出する呼気が、流入する呼気と衝突・合体して唄口２の外に押し出す効率が高いときである。吹き口３の構造を適切に調節することで、この状態が生まれる。
【産業上の利用可能性】
【００２２】
頭部管の唄口に吹き口を設けたエアリード楽器は音が出し易いので、初心者の利用が増加すると見込まれる。また、エアリード楽器を中断した人が再び演奏を試みることが期待できる。
【符号の説明】
【００２３】
１  頭部管
２  唄口
３  吹き口
４  開口端
５  吐出口
６  側壁
７  唄口の内壁
８  頭部管の内壁
９  凸部
【要約】
【課題】エアリード楽器において、初心者などの演奏能力の乏しい人でも容易に音が出せる構造とする。
【解決手段】エアリード楽器は、リッププレートに相当する外表面を有する円筒管の唄口２に吹き口３を設けた構造である。吹き口３は、呼気を吹き込む開口端４から吐出口５までの孔、唄口２から流出する呼気の方向を制御する凸部９、凸部９と連なり唄口２の上部開口端を塞ぐ面、吹き口３を唄口２に固定する側壁６とからなる。開口端４に吹き込まれた呼気は吐出口５から噴出して唄口２に流入する。次いで呼気は頭部管１の中を周回し、凸部９に沿って唄口２から流出する。唄口２に流入する呼気と流出する呼気は、凸部９の表面付近で衝突・合体して唄口２の外に出て、エアリード機能を発揮して音が出る。開口端４に吹き込まれた呼気が、唄口２の外に出るまでの道がウインドウェイであり、この道が形成されてエアリード楽器は容易に音がでる。
【選択図】図１【図１】
0006744509.tif 000002
【図２】
0006744509.tif 000003
【図３】
0006744509.tif 000004